(57)【特許請求の範囲】
【請求項１】
モータによって鉛直面内で回転駆動されるように設けた払出ロータの外周面にＶ字形の球受孔を形成するとともに、該球受孔にパチンコ球がその直径の１／４〜１／３遊嵌したところで孔内面の２点にて支持されるように該球受孔の実質的な孔深さを設定してなることを特徴としたパチンコ遊技機の球払出装置。
【発明の詳細な説明】
【０００１】
【発明の属する技術分野】
本発明は、払出ロータを回転動させることによってパチンコ球を払出通路に払い出すパチンコ遊技機における球払出装置に関するものである。
【０００２】
【従来の技術】
外周面にパチンコ球が遊嵌し得る球受孔が形成された円盤状の払出ロータをモータによって鉛直面内で回転駆動するように設け、該払出ロータの回転数を制御することによって景品としての所定数のパチンコ球が払い出されるように構成されたパチンコ球払出装置は周知のとおりである。
【０００３】
ところで、一般に景品としてのパチンコ球の払い出しは一時に集中することが多いので、短時間で多数のパチンコ球が払い出し得るように払出ロータを高速回転させる必要が生じて来ている。
【０００４】
しかしながら払出ロータを高速回転させると、払出ロータの外周の球受孔内にパチンコ球が自重で遊嵌する間もなく該払出ロータが回転することとなるので、球噛み，球詰まりを起こす原因となるものであった。またこれを回避するために球受孔の深さを浅くするとパチンコ球が孔内でバウンドし激しく振動し孔から離脱し易くなるのでこれもまた球噛み，球詰まりの原因となるものであった。
【０００５】
また、該球払出装置には払い出されるパチンコ球を計数するためのセンサが設けられているが、上記のようにパチンコ球の動きが不安定であるとこうしたセンサによる検知ミスの原因となることもあった。
【０００６】
【発明が解決しようとする課題】
本発明は上記欠点を解消し、払出ロータを高速回転させても常にスムースに払出作動が行われるように該払出ロータの形状を改良し、球詰まりすることなくパチンコ球の高速払い出しに応じられるようにするものである。
【０００７】
【課題を解決するための手段】
そのために本発明に係るパチンコ遊技機の球払出装置は、モータによって鉛直面内で回転駆動されるように設けた払出ロータの外周面にＶ字形の球受孔を形成するとともに、該球受孔にパチンコ球がその直径の１／４〜１／３遊嵌したところで孔内面の２点にて支持されるように該球受孔の実質的な孔深さを設定してなることを特徴とする。
【０００８】
【発明の実施の形態】
次に図面に従い本発明の実施形態を説明する。この実施形態に示す球払出装置は、払出ロータを正転または逆転させることによってパチンコ球が貸球払出通路または賞球払出通路に払い分けされるようにしたものである。またこのこの実施形態は、遊技機本体裏面に設けられた景品球タンクからパチンコ球を２列に整列させて流下させ、２列にて払い出されるように一対の払出ロータが設けられている。
【０００９】
図において、１はプラスチック製のケース、２ａ，２ｂは該ケースに形成され景品球タンクから流下したパチンコ球ｐを該ケース内に落下させる落下口、３ａ，３ｂは該落下口の真下に鉛直面内で回転動するように設けられた円盤状の払出ロータ、４は該払出ロータを回転させるために該ケース１の外部一側に設けられた正逆転可能なるパルスモータ、５，６は該モータ４の回転を払出ロータ３ａ，３ｂの回転軸７に伝達するピニオン，ギヤである。払出ロータ３ａ，３ｂの両側は球通路が二股に分岐し、一方は貸球払出通路８、他方は賞球払出通路９となっている。
【００１０】
払出ロータ３ａ，３ｂは外周面には球受孔１０が１８０度間隔にて２個所形成されている。そして該払出ロータ３ａと払出ロータ３ｂとは互いに９０度位相をずらして回転軸７に固着され、モータ４により該各払出ロータを正転または逆転させることによってパチンコ球ｐが貸球払出通路８または賞球払出通路９に払い分けされる。なお、１１，１２は該貸球払出通路８または賞球払出通路９に払い出されるパチンコ球を検出するためにその両分岐部に設けられたセンサである。
【００１１】
図１〜図４において、払出ロータ３ａ，３ｂは外周面に形成された球受孔１０の孔深さｄが実質的にパチンコ球ｐの直径の１／４〜１／３の範囲となるようにしている。即ち、パチンコ球ｐの直径の１／４〜１／３が球受孔１０に遊嵌した状態で該払出ロータの回転によりパチンコ球ｐが移送されるようにする。言い換えれば、パチンコ球ｐの直径の３／４〜２／３は該払出ロータの外周面から突出した状態で該払出ロータが回転し得るように払出通路８または払出通路９の幅を設定する。なお、パチンコ球ｐの直径は一般的に１１ｍｍ〜１１．５ｍｍであるので、孔深さｄは２．７５ｍｍ〜３．８３ｍｍの範囲となる。孔深さｄがこれより浅いと孔底面に衝突してバウンドしたパチンコ球がその上方に連なる次のパチンコ球または落下口２ａ，２ｂの下部内縁に当たって振動し激しい音を出し高速化も困難となる。また、孔深さｄがこれより深いと高速化した場合パチンコ球ｐの自重による落下が間に合わなくて該パチンコ球ｐが該球受孔１０中に完全に遊嵌する前でも該払出ロータが回転し得るように払出通路８または払出通路９の幅を十分に設定しなければならなくなるので、これも速度との整合性が悪いと球噛みの原因となる。このため本発明では実質的な孔深さｄをこのような範囲内のものとすることにより、回転速度，払出速度の高速化が可能であるとともに、低速から高速まで幅広い速度においてパチンコ球をスムースに移動でき球詰まりなく安定して払い出し得るようになる。
【００１２】
図５，図６は請求項１に示した本発明の実施形態を示すもので、この払出ロータ３ａ，３ｂの外周面に形成された球受孔１０は、遊嵌したパチンコ球ｐを孔内面の２点ｔ１，ｔ２にて支持し得るように、該球受孔１０をＶ字形の形態としている。このように球受孔１０の形態を遊嵌したパチンコ球に２点で接触し得るようにすることで、パチンコ球が該球受孔１０中に安定して支持されるとともに、該球受孔１０内に落下して来たパチンコ球ｐは該球受孔１０のＶ字形の両斜面のうちのいずれかに先ず衝突するのでパチンコ球がバウンドする方向を横方向に分散させることができる。このため次に落下して来るパチンコ球との衝突による衝撃が緩和され、これによっても高速での払い出しがスムースに行われるようになる。
なおこの実施形態では、円盤状の払出ロータを説明したが、その他の形態，例えばリードスクリュー状のものにも適用できる。
【００１３】
【発明の効果】
このように本発明に係るパチンコ遊技機の球払出装置は、モータによって鉛直面内で回転駆動されるように設けた払出ロータの外周面に孔深さが実質的にパチンコ球の直径の１／４〜１／３の球受孔を形成してなるので、払出ロータを高速回転させても常にスムースに払出作動が行われるようになり、球詰まりすることなくパチンコ球の高速払い出しに応じられるようにする有益な効果がある。
【図面の簡単な説明】
【図１】本発明に係る球払出装置の実施形態を示す縦断面図。
【図２】図１のＡ−Ａ線断面図。
【図３】本発明に係る球払出装置の実施形態を示す分解斜視図。
【図４】図１の球払出装置の払出ロータの拡大図。
【図５】本発明に係る球払出装置の他の実施形態を示す分解斜視図。
【図６】図５の球払出装置の払出ロータの拡大図。
【符号の説明】
１            ケース
２ａ，２ｂ    落下口
３ａ，３ｂ    払出ロータ
４            モータ
１０          球受孔
ｐ            パチンコ球
ｄ            孔深さ
【図１】
0004340351.tif 000002
【図２】
0004340351.tif 000003
【図３】
0004340351.tif 000004
【図４】
0004340351.tif 000005
【図５】
0004340351.tif 000006
【図６】
0004340351.tif 000007